(57)【要約】【課題】開封時摘み用タブを引っ張っても摘み用タブの根本の横から蓋が一部破れないようにする。【解決手段】摘み用タブ付き蓋熱封緘コップ状容器の製法は、円盤状で前記フランジ(７)に対応した下向き環状突出部(１１)を有しており、前記下向き環状突出部(１１)のうち摘み用タブ(１)の根本およびその両側３mmを含む部分の横断面の下辺全体のうち外側５０%の部分(１２)の角度が外上向きに１０゜傾斜せしめられているシール盤(１０)により、コップ状容器(４)の開口部のフランジ(７)に摘み用タブ(１)付き蓋(２)を熱封緘する。【選択図】    図３
2014151928.tif 000002
【特許請求の範囲】
【請求項１】
コップ状容器の開口部のフランジに摘み用タブ付き蓋が熱封緘せられたコップ状容器において、環状熱封緘部の外周部全体のうち少なくとも摘み用タブの根本およびその両側１mmを含む部分の熱封緘強度が他の部分より弱くなされている開封時に破れない摘み用タブ付き蓋熱封緘コップ状容器。
【請求項２】
円盤状でコップ状容器の開口部のフランジに対応した下向き環状突出部を備えたシール盤の前記下向き環状突出部の外周部全体うち少なくとも摘み用タブの根本およびその両側１mmを含む部分の横断面の下辺全体のうち外側１０〜５０%の部分が外上向きに３゜〜１５゜傾斜せしめられており、このシール盤を用いてコップ状容器のフランジに摘み用タブ付き蓋を熱封緘する摘み用タブ付き蓋熱封緘コップ状容器の製法。
【発明の詳細な説明】
【技術分野】
【０００１】
本発明は、開封時に破れない摘み用タブ付き蓋熱封緘コップ状容器とその製法に関する。
【背景技術】
【０００２】
コップ状容器の開口部のフランジに摘み用タブ付き蓋が熱封緘せられたコップ状容器は、特許文献１に開示されているように、従来からよく知られている。
【先行技術文献】
【特許文献】
【０００３】
【特許文献１】実開昭６２−１０８２３０号公報
【発明の概要】
【発明が解決しようとする課題】
【０００４】
ところで、このようなコップ状容器の蓋を開封するさい、摘み用タブを引っ張ると、摘み用タブの根本に開封時の力か集中し、図１に示すように、摘み用タブの根本の横部分から蓋が一部破れることがある。このような状態になると、摘み用タブを引っ張っても蓋全体に均一な力が加わらないために綺麗に開封できないことになる。
【０００５】
本発明の目的は、開封時摘み用タブを引っ張っても摘み用タブの根本の横から蓋が一部破れることのない摘み用タブ付き蓋熱封緘コップ状容器とその製法を提供することにある。
【課題を解決するための手段】
【０００６】
請求項１の発明による開封時に破れない摘み用タブ付き蓋熱封緘コップ状容器は、コップ状容器の開口部のフランジに摘み用タブ付き蓋が熱封緘せられたコップ状容器において、環状熱封緘部の外周部全体のうち少なくとも摘み用タブの根本およびその両側１mmを含む部分の熱封緘強度が他の部分より弱くなされているものである。
【０００７】
請求項２の発明は、摘み用タブ付き蓋熱封緘コップ状容器の製法は、円盤状でコップ状容器の開口部のフランジに対応した下向き環状突出部を備えたシール盤の前記下向き環状突出部の外周部全体うち少なくとも摘み用タブの根本およびその両側１mmを含む部分の横断面の下辺全体のうち外側１０〜５０%の部分が外上向きに３゜〜１５゜傾斜せしめられており、このシール盤を用いてコップ状容器のフランジに摘み用タブ付き蓋を熱封緘するものである。
【０００８】
上記において、シール盤の下向き環状突出部の外周部全体うち少なくとも摘み用タブの根本およびその両側１mmを含む部分に限定したのは、摘み用タブの根本だけにすると、摘み用タブを引っ張ったさい、なお摘み用タブの根本に開封時の力が集中し、この部分の横から蓋が破れ易いからである。上記範囲のなかでも摘み用タブの根本およびその両側３〜５mmを含む部分が好ましい。
【０００９】
上記において、シール盤の下向き環状突出部の外周部横断面において外上向きに傾斜せしめられる範囲を下辺外側１０%〜５０%の部分に限定したのは、１０%未満であるとシール強度を弱くした効果が得られないからであり、５０%を超えると、全体のシール強度が弱くなって蓋がフランジから剥がれるおそれがあるからである。
【００１０】
上記において、シール盤の下向き環状突出部の外周部横断面において外上向きに傾斜せしめられる角度を外上向きに３゜〜１５゜に限定したのは、３゜未満であるとシール強度を弱くした効果が得られないからであり、１５゜を超えると、全体のシール強度が弱くなって蓋がフランジから剥がれるおそれがあるからである。
【発明の効果】
【００１１】
請求項１の発明による開封時に破れない摘み用タブ付き蓋熱封緘コップ状容器は、コップ状容器の開口部のフランジに摘み用タブ付き蓋が熱封緘せられたコップ状容器において、環状熱封緘部の外周部全体のうち少なくとも摘み用タブの根本およびその両側１mmを含む部分の熱封緘強度が他の部分より弱くなされているものであるから、摘み用タブを引っ張ったさい、摘み用タブの根本に開封時の力か集中することがなく、摘み用タブの根本の横から蓋が破れるということはない。
【００１２】
請求項２の発明による摘み用タブ付き蓋熱封緘コップ状容器の製法は、円盤状でコップ状容器の開口部のフランジに対応した下向き環状突出部を備えたシール盤の前記下向き環状突出部の外周部全体のうち少なくとも摘み用タブの根本およびその両側１mmを含む部分の横断面の下辺外側１０〜５０%の部分が外上向きに３゜〜１５゜傾斜せしめられており、このシール盤を用いてコップ状容器のフランジに摘み用タブ付き蓋を熱封緘するものであるから、摘み用タブを引っ張ったさい、摘み用タブの根本に開封時の力が集中することがなく、摘み用タブの根本の横から蓋が一部破れることのないタブ付き蓋熱封緘コップ状容器を容易に製造することができる。
【図面の簡単な説明】
【００１３】
【図１】蓋を開封するさい、摘み用タブを引っ張ることにより、摘み用タブの根本に開封時の力が集中し、摘み用タブの根本の横から蓋が一部破れた状態を示す従来の摘み用タブ付き蓋熱封緘コップ状容器の平面図である。
【図２】従来の摘み用タブ付き蓋熱封緘コップ状容器の製法に用いられるシール盤により、コップ状容器の開口部のフランジに摘み用タブ付き蓋が熱封緘せれている状態を示す要部拡大断面図である。
【図３】本発明による摘み用タブ付き蓋熱封緘コップ状容器の製法に用いられるシール盤により、コップ状容器の開口部のフランジに摘み用タブ付き蓋が熱封緘せれている状態を示す要部拡大断面図である。
【発明を実施するための形態】
【００１４】
図１は、コップ状容器の開口部のフランジに熱封緘せられた摘み用タブ(１)付き蓋(２)を開封するさい、摘み用タブ(１)を引っ張ることにより、蓋(２)における摘み用タブ(１)の横に一部破れ(３)が生じた状態を示す従来の摘み用タブ付き蓋熱封緘コップ状容器(４)を示す。蓋(２)の外周とその内側の２点鎖線の間の環状部が熱封緘部(５)である。
【００１５】
図２は、従来の摘み用タブ付き蓋熱封緘コップ状容器の製法に用いられるシール盤により、コップ状容器の開口部のフランジに摘み用タブ付き蓋が熱封緘せれている状態を示すもので、シール盤(６)により、コップ状容器(４)の開口部のフランジ(７)に摘み用タブ(１)付き蓋(２)を熱封緘する。蓋(２)は、その詳細図示を略したが、上面にポリエチレンテレフタレート樹脂フイルム層を有するアルミニウム箔の下面に熱封緘接着剤層を有するものである。従来のシール盤(６) は、円盤状で前記フランジ(７)に対応した下向き環状突出部(８)を有しており、下向き環状突出部(８)全体のいずれの部分における横断面もその下辺(９)は水平であるから、フランジ(７)に蓋(２)が熱封緘せられるさい、その全体に均一に圧力が加わり、全体の熱封緘強度は同一となる。したがって、この状態で摘み用タブ(１)を引っ張ると、摘み用タブ(１)の根本に開封時の力か集中して摘み用タブ(１)の根本の横から蓋(２)が一部破れることがある。
【００１６】
図３は、本発明による摘み用タブ付き蓋熱封緘コップ状容器の製法に用いられるシール盤により、コップ状容器の開口部のフランジに摘み用タブ付き蓋が熱封緘せれている状態を示すもので、シール盤(１０)により、コップ状容器(４)の開口部のフランジ(７)に摘み用タブ(１)付き蓋(２)を熱封緘する。本発明に用いられるシール盤(１０)は、円盤状で前記フランジ(７)に対応した下向き環状突出部(１１)を有しており、前記下向き環状突出部(１１)のうち摘み用タブ(１)の根本およびその両側３mmを含む部分の横断面の下辺全体のうち外側５０%の部分(１２)の角度が外上向きに１０゜傾斜せしめられている。(１３)は下辺の内側の水平部分である。
【００１７】
上記では、下向き環状突出部(１１)のうち摘み用タブ(１)の根本およびその両側３mmを含む限定された部分の横断面の下辺全体のうち外側５０%の部分(１２)の角度が外上向きに１０゜傾斜せしめられているが、下向き環状突出部(１１)全体の横断面の下辺全体のうち外側５０%の部分(１２)の角度が外上向きに１０゜傾斜せしめられていてもよい。
【００１８】
本発明の効果を確認するため、従来法と本発明の４つの実施例につき、表１に示す評価を行った。まず、厚さ２５μmのポリエチレンテレフタレート樹脂
フイルムの片面に厚さ４０μmのアルミニウム箔をポリウレタン系ドライラミネート接着剤で張合わせた。つぎに、アルミニウム箔の他面にアクリル系のアンカーコート剤とポリエステル系の熱封緘剤とをコーティングして蓋材とした。この蓋材から得た厚さ６５μmの摘み用タブ付き蓋をコップ状容器の開口部のフランジに２００゜C×９８０N/個×１秒の条件で熱封緘し、これを検体として引張速度１００mm/min、引張角度４５゜の条件で摘み用タブにつき表１の評価試験を行った。評価試験は、各幅条件で５個(No.1〜No.5)の資料について行った。なお、シール盤の下向き環状突出部の横断面の下辺の長さは、２mmで上記傾斜角度は表１のとおりとした。
【００１９】
【表１】
2014151928.tif 000003
【図１】
2014151928.tif 000004
【図２】
2014151928.tif 000005
【図３】
2014151928.tif 000006